(57)【要約】【課題】情報再生機器と映像表示装置とをＨＤＭＩケーブルによって接続する際に、情報再生機器、映像表示装置、或いはＨＤＭＩケーブルが故障したとユーザに勘違いされることの無い情報再生機器を提供する。【解決手段】ＨＤＭＩケーブル（２）によって接続されている映像表示装置（３）のＥＤＩＤを取得するＥＤＩＤ取得部（１０，１１）と、前記ＥＤＩＤに含まれる前記映像表示装置の解像度情報の解像度に適合する文字データであって、ＨＤＭＩ接続が完了していない旨を報知するための文字データを作成するＯＳＤ処理部（９）と、前記ＥＤＩＤを用いて前記映像表示装置の認証を行う認証処理部（１０，１１）と、前記認証の間、前記ＨＤＭＩ接続が完了していない旨を報知するための文字データを前記ＨＤＭＩケーブルを介して前記映像表示装置に送信する送信部（１０）とを備える情報再生機器（１）。【選択図】図１
2009077347.tif 000002
【特許請求の範囲】
【請求項１】
ＨＤＭＩケーブルによって接続されている映像表示装置のＥＤＩＤを取得するＥＤＩＤ取得部と、
前記ＥＤＩＤに含まれる前記映像表示装置の解像度情報の解像度に適合する文字データであって、ＨＤＭＩ接続が完了していない旨を報知するための文字データを作成するＯＳＤ処理部と、
前記ＥＤＩＤを用いて前記映像表示装置の認証を行う認証処理部と、
前記認証処理部が前記映像表示装置の認証を行っている間、前記ＨＤＭＩ接続が完了していない旨を報知するための文字データを前記ＨＤＭＩケーブルを介して前記映像表示装置に送信する送信部とを備えることを特徴とする情報再生機器。
【請求項２】
前記映像表示装置の認証が正常に終了しなかった場合、前記ＯＳＤ処理部が、前記ＥＤＩＤに含まれる前記映像表示装置の解像度情報の解像度に適合する文字データであって、ＨＤＭＩ接続にエラーがあった旨を報知するための文字データを作成し、前記送信部が、前記ＨＤＭＩ接続にエラーがあった旨を報知するための文字データを前記ＨＤＭＩケーブルを介して前記映像表示装置に送信する請求項１に記載の情報再生機器。
【請求項３】
再生する情報が映像情報及び音声情報である請求項２に記載の情報再生機器。
【発明の詳細な説明】
【技術分野】
【０００１】
本発明は、情報再生機器に関し、特にＨＤＭＩ（High-Definition Multimedia Interface）ケーブルの差し込みが可能なＨＤＭＩ端子を有する情報再生機器に関する。
【背景技術】
【０００２】
マルチメディアインタフェースの一つであるＨＤＭＩは、デジタル映像信号及びデジタル音声信号を非圧縮で制御信号とともに一体化したシングルケーブルで伝送できるものである。近年、ＨＤＭＩ端子を有する情報再生機器が普及してきており、ＨＤＭＩケーブルによって情報再生機器（例えばＤＶＤプレーヤ）と映像表示装置（例えばテレビジョン受像機）とが接続されることが増えてきている。
【０００３】
情報再生機器と映像表示装置とがＨＤＭＩケーブルによって接続される場合、情報再生機器と映像表示装置とが相互認証を行う。この相互認証の処理は、ＨＤＭＩケーブルによる情報再生機器と映像表示装置との接続において、最も時間のかかる処理であって、２秒程度かかってしまう。
【０００４】
【特許文献１】特開２００１−２１１３５６号公報
【特許文献２】特開平１１−２８２５７９号公報
【特許文献３】特開平５−１６１０８４号公報
【特許文献４】特開２００５−３５４４３３号公報
【発明の開示】
【発明が解決しようとする課題】
【０００５】
このため、情報再生機器と映像表示装置とをＨＤＭＩケーブルによって接続しても相互認証の処理を行っている間は、ユーザが情報再生機器のリモコン送信機を操作してもそのリモコン操作に応じた表示等が映像表示装置において行われず、ユーザは情報再生機器、映像表示装置、或いはＨＤＭＩケーブルが故障したと勘違いする可能性がある。
【０００６】
なお、特許文献１で提案されている電子カメラは、パソコンその他の映像表示装置にＵＳＢ接続されている状態において、ＵＳＢモードによるメディアアクセス時に通信中を表示するものであって、情報再生機器と映像表示装置とをＨＤＭＩケーブルによって接続する際に、情報再生機器、映像表示装置、或いはＨＤＭＩケーブルが故障したとユーザに勘違いされることを回避するものではない。
【０００７】
また、特許文献２で提案されている情報処理装置は、外部電源が接続されると、外部との通信中である旨を通知するものであって、情報再生機器と映像表示装置とをＨＤＭＩケーブルによって接続する際に、情報再生機器、映像表示装置、或いはＨＤＭＩケーブルが故障したとユーザに勘違いされることを回避するものではない。
【０００８】
また、特許文献３で提案されている入出力状態表示装置は、入出力状態を表示するパターンを色分け表示するものであって、情報再生機器と映像表示装置とをＨＤＭＩケーブルによって接続する際に、情報再生機器、映像表示装置、或いはＨＤＭＩケーブルが故障したとユーザに勘違いされることを回避するものではない。
【０００９】
また、特許文献４で提案されている装置接続図表示システムは、複数の入出力端子を備える映像表示装置や映像記録装置等を複数個接続する場合に、各機器の入出力端子の接続状態を表示部に表示するものであって、情報再生機器と映像表示装置とをＨＤＭＩケーブルによって接続する際に、情報再生機器、映像表示装置、或いはＨＤＭＩケーブルが故障したとユーザに勘違いされることを回避するものではない。
【００１０】
本発明は、上記の状況に鑑み、情報再生機器と映像表示装置とをＨＤＭＩケーブルによって接続する際に、情報再生機器、映像表示装置、或いはＨＤＭＩケーブルが故障したとユーザに勘違いされることの無い情報再生機器を提供することを目的とする。
【課題を解決するための手段】
【００１１】
本発明に係る情報再生機器は、ＨＤＭＩケーブルによって接続されている映像表示装置のＥＤＩＤを取得するＥＤＩＤ取得部と、前記ＥＤＩＤに含まれる前記映像表示装置の解像度情報の解像度に適合する文字データであって、ＨＤＭＩ接続が完了していない旨を報知するための文字データを作成するＯＳＤ処理部と、前記ＥＤＩＤを用いて前記映像表示装置の認証を行う認証処理部と、前記認証処理部が前記映像表示装置の認証を行っている間、前記ＨＤＭＩ接続が完了していない旨を報知するための文字データを前記ＨＤＭＩケーブルを介して前記映像表示装置に送信する送信部とを備える構成である。
【００１２】
このような構成によると、映像表示装置の認証が行われている間、ＨＤＭＩ接続が完了していない旨を報知するための文字データがＨＤＭＩケーブルを介して映像表示装置に送信されるので、情報再生機器と映像表示装置とをＨＤＭＩケーブルによって接続する際に、情報再生機器、映像表示装置、或いはＨＤＭＩケーブルが故障したとユーザに勘違いされることが無くなる。
【００１３】
また、上記構成の情報再生機器において、前記映像表示装置の認証が正常に終了しなかった場合、前記ＯＳＤ処理部が、前記ＥＤＩＤに含まれる前記映像表示装置の解像度情報の解像度に適合する文字データであって、ＨＤＭＩ接続にエラーがあった旨を報知するための文字データを作成し、前記送信部が、前記ＨＤＭＩ接続にエラーがあった旨を報知するための文字データを前記ＨＤＭＩケーブルを介して前記映像表示装置に送信するようにしてもよい。これにより、映像表示装置の認証が正常に終了しなかった場合、映像表示装置の認証が正常に終了しなかったことをユーザが確実に認識することができる。さらに、再生する情報が映像情報及び音声情報であることが望ましい。これにより、ユーザに映像のみならず音声も提供することができる。
【発明の効果】
【００１４】
本発明に係る情報再生機器によると、映像表示装置の認証が行われている間、ＨＤＭＩ接続が完了していない旨を報知するための文字データがＨＤＭＩケーブルを介して映像表示装置に送信されるので、情報再生機器と映像表示装置とをＨＤＭＩケーブルによって接続する際に、情報再生機器、映像表示装置、或いはＨＤＭＩケーブルが故障したとユーザに勘違いされることが無くなる。
【発明を実施するための最良の形態】
【００１５】
本発明の実施形態について図面を参照して以下に説明する。本発明に係る情報再生機器として、ここでは光ディスク再生装置を例に挙げて説明する。本発明に係る光ディスク再生装置の概略構成例を図１に示す。
【００１６】
本発明に係る光ディスク再生装置１は、ＨＤＭＩ端子を有しており、ＨＤＭＩ端子を有するテレビジョン受像機３とのＨＤＭＩケーブル２を介する接続が可能になっている。
【００１７】
本発明に係る光ディスク再生装置１は、光ディスク４を回転させるスピンドルモータ部５と、光ディスク４にレーザビームを照射して光ディスク４に書き込まれている信号の読み出しを行う光ピックアップ部６と、光ピックアップ部６が読み出した信号を処理する信号処理部７と、信号処理部７が処理した信号を復号するデコーダ部８と、デコーダ部８から出力される復号信号に文字若しくは図形のＯＳＤデータを重畳して出力する又は文字若しくは図形のＯＳＤデータを出力するＯＳＤ（On Screen Display）処理部９と、ＯＳＤ処理部９の出力信号に基づくＨＤＭＩ規格の映像音声データの送信及びＥＤＩＤの受信を行うＨＤＭＩ送信部１０と、スピンドルモータ部５、光ピックアップ部６、信号処理部７、デコーダ部８、ＯＳＤ処理部９、ＨＤＭＩ送信部１０、及び記憶部１４を制御する制御部１１と、各種操作ボタンからなりユーザが押圧した操作ボタンに対応するコード信号を制御部１１に出力してユーザの指示を制御部１１に伝える操作部１２と、不図示のリモコン送信機から赤外線信号を受信しユーザのリモコン操作に対応するコード信号を制御部１１に出力してユーザの指示を制御部１１に伝えるリモコン受信部１３と、各種データを記憶する記憶部１４とを備えている。なお、光ディスク４は、本発明に係る光ディスク再生装置１に対して着脱自在である。
【００１８】
ＨＤＭＩケーブル２は、ＴＭＤＳ（Transition Minimized Differential Signaling）方式でＨＤＭＩ送信部１０からの映像音声データをテレビジョン受像機３に送信するためのＴＭＤＳラインＬ１と、光ディスク再生装置１がテレビジョン受像機３とのＨＤＭＩケーブル２による接続の有無を検出するためのＨＰＤ（Hot Plug Detector）ラインＬ２と、光ディスク再生装置１とテレビジョン受像機３との間での制御やステータスの双方向通信を行うためのＤＤＣ（Display Data Channel）ラインＬ３とを備えている。ＨＤＭＩケーブル２のＤＤＣラインＬ３によって、光ディスク再生装置１がテレビジョン受像機３からＥＤＩＤ（Extended Display Identification Data）を取得することが可能になっている。なお、テレビジョン受像機３から光ディスク再生装置１に送られるＥＤＩＤにはテレビジョン受像機３の表示部１７の解像度情報が含まれている。
【００１９】
テレビジョン受像機３は、ＨＤＭＩ規格の映像音声データの受信及びＥＤＩＤの送信を行うＨＤＭＩ受信部１５と、ＨＤＭＩ受信部１５が受け取った映像データに基づく表示を行う表示部１７と、ＥＤＩＤを記憶している記憶部１６と、ＨＤＭＩ受信部１５が受け取った音声データに基づく音声出力を行う音声出力部１８とを備えている。また、テレビジョン受像機３は、当然の事ながら、テレビ放送を受信するためのテレビ放送受信部（不図示）も備えている。
【００２０】
次に、ＨＤＭＩケーブル２によってテレビジョン受像機３に接続される際の本発明に係る光ディスク再生装置１の動作について、図２に示すフローチャートを参照して説明する。
【００２１】
光ディスク再生装置１の電源がオンになると、図２に示すフローチャートの動作が開始される。光ディスク再生装置１の制御部１１は、flagを設定しており、図２に示すフローチャートの動作開始時にはflagをOFFにしている。その後、光ディスク再生装置１の制御部１１は、ＨＤＭＩケーブル２のＨＰＤラインＬ２からＨＤＭＩ送信部１０に供給されるホットプラグ検出信号を常時監視し、テレビジョン受像機３とのＨＤＭＩケーブル２による接続が未接続状態から接続状態へと変化すると、flagをONにする。
【００２２】
まず、ステップＳ１０において、光ディスク再生装置１の制御部１１は、ＨＤＭＩケーブル２のＨＰＤラインＬ２からＨＤＭＩ送信部１０に供給されるホットプラグ検出信号に基づいて、ＨＤＭＩケーブル２によってテレビジョン受像機３と接続されているか否かを判定する。
【００２３】
ＨＤＭＩケーブル２によってテレビジョン受像機３と接続されていないと判定された場合（ステップＳ１０のＮＯ）、ステップＳ１０に戻る。一方、ＨＤＭＩケーブル２によってテレビジョン受像機３と接続されていると判定された場合（ステップＳ１０のＹＥＳ）、光ディスク再生装置１の制御部１１は、ＨＤＭＩケーブル２のＤＤＣラインＬ３からＨＤＭＩ送信部１０に供給されるテレビジョン受像機３のステータス信号に基づいて、テレビジョン受像機３の電源がオンであるか否かを判定する（ステップＳ２０）。
【００２４】
テレビジョン受像機３の電源がオンでないと判定された場合（ステップＳ２０のＮＯ）、ステップＳ１０に戻る。一方、テレビジョン受像機３の電源がオンであると判定された場合（ステップＳ２０のＹＥＳ）、光ディスク再生装置１の制御部１１は、ＨＤＭＩ送信部１０を介して、テレビジョン受像機３に対してＥＤＩＤを要求し、その後、ＨＤＭＩケーブル２のＤＤＣラインＬ３からテレビジョン受像機３のＥＤＩＤを取得できているかを判定する（ステップＳ３０）。
【００２５】
テレビジョン受像機３のＥＤＩＤが取得できていないと判定された場合（ステップＳ３０のＮＯ）、ステップＳ１０に戻る。一方、テレビジョン受像機３のＥＤＩＤが取得できていると判定された場合（ステップＳ３０のＹＥＳ）、光ディスク再生装置１の制御部１１は、flagがONであるか否かを判定する（ステップＳ４０）。flagがONでないと判定された場合（ステップＳ４０のＮＯ）、ステップＳ１０に戻る。一方、flagがONであると判定された場合（ステップＳ４０のＹＥＳ）、ステップＳ５０に移行する。
【００２６】
ステップＳ５０において、光ディスク再生装置１のＯＳＤ処理部９は、制御部１１の制御に従って、テレビジョン受像機３のＥＤＩＤに含まれている解像度情報の解像度に適合する「ＨＤＭＩ接続中」の文字データ（ＯＳＤデータ）を作成し、ＨＤＭＩ送信部１０に出力する。これにより、テレビジョン受像機３の表示部１７に「ＨＤＭＩ接続中」という文字が表示される。さらに、ステップＳ５０において、光ディスク再生装置１の制御部１１は、flagをONからOFFに切り替える。
【００２７】
続くステップＳ６０において、光ディスク再生装置１の制御部１１は、ＥＤＩＤを用いてテレビジョン受像機３の認証を行い、テレビジョン受像機３の認証が正常に終了したか否かを確認する。なお、テレビジョン受像機３の認証開始から終了までは２秒度時間がかかる。
【００２８】
テレビジョン受像機３の認証が正常に終了したと判断された場合（ステップＳ６０のＹＥＳ）、光ディスク再生装置１のＯＳＤ処理部９は、制御部１１の制御に従って、「ＨＤＭＩ接続中」の文字データ（ＯＳＤデータ）のＨＤＭＩ送信部１０への出力を停止する（ステップＳ７０）。これにより、テレビジョン受像機３の表示部１７に「ＨＤＭＩ接続中」という文字が表示されなくなる。一方、テレビジョン受像機３の認証が正常に終了しなかったと判断された場合（ステップＳ６０のＮＯ）、光ディスク再生装置１のＯＳＤ処理部９は、制御部１１の制御に従って、テレビジョン受像機３のＥＤＩＤに含まれている解像度情報の解像度に適合する「ＨＤＭＩ接続エラー」の文字データ（ＯＳＤデータ）を作成し、ＨＤＭＩ送信部１０に出力する（ステップＳ８０）。これにより、テレビジョン受像機３の表示部１７に「ＨＤＭＩ接続エラー」という文字が表示される。
【００２９】
光ディスク再生装置１の制御部１１は、ＨＤＭＩケーブル２によるテレビジョン受像機３との接続状態を常時監視するため、ステップＳ７０又はステップＳ８０の終了後、ステップＳ１０に戻り、上記一連の動作を繰り返す。
【００３０】
本発明に係る光ディスク再生装置１は、ＨＤＭＩケーブル２によってテレビジョン受像機３に接続される際に上述した動作を行うので、テレビジョン受像機３の認証開始から終了までの間テレビジョン受像機３の表示部１７に「ＨＤＭＩ接続中」という文字が表示される。これにより、本発明に係る光ディスク再生装置１とテレビジョン受像機３とをＨＤＭＩケーブル２によって接続する際に、本発明に係る光ディスク再生装置１、テレビジョン受像機３、或いはＨＤＭＩケーブル２が故障したとユーザに勘違いされることが無くなる。
【００３１】
なお、上述した実施形態では本発明を光ディスク再生装置に適用したが、本発明はこれに限らず、他の情報再生機器（例えばハードディスクレコーダ）にも適用可能である。
【図面の簡単な説明】
【００３２】
【図１】は、本発明に係る光ディスク再生装置の概略構成例を示す図である。
【図２】は、ＨＤＭＩケーブルによってテレビジョン受像機に接続される際の図１に示す光ディスク再生装置の動作を示すフローチャートである。
【符号の説明】
【００３３】
１  光ディスク再生装置
２  ＨＤＭＩケーブル
３  テレビジョン受像機
４  光ディスク
５  スピンドルモータ部
６  光ピックアップ部
７  信号処理部
８  デコーダ部
９  ＯＳＤ処理部
１０  ＨＤＭＩ送信部
１１  制御部
１２  操作部
１３  リモコン受信部
１４  記憶部
１５  ＨＤＭＩ受信部
１６  記憶部
１７  表示部
１８  音声出力部
Ｌ１  ＴＭＤＳライン
Ｌ２  ＨＰＤライン
Ｌ３  ＤＤＣライン
【図１】
2009077347.tif 000003
【図２】
2009077347.tif 000004